【事件の表示】
　平成１年特許願第２３６４７０号「スーパーインポーズ装置」拒絶査定に対する審判事件（平成３年４月２３日出願公開、特開平３−９８３８７）について、次のとおり審決する。
【結論】
　本件審判の請求は、成り立たない。
【理由】
Ｉ【手続きの経緯、本願発明の要旨】
　本願は、平成１年９月１１日の出願であって、その請求項１に係る発明（以下、「本願発明」という。）は、平成７年１１月２１日付け、および平成１０年５月２５日付けの手続補正書により補正された明細書及び図面の記載からみて、その特許請求の範囲の請求項１に記載された次のとおりのものである。
「１．第１のカラー画像信号から分離した輝度信号を白黒２値のデジタル信号に変換するＡ／Ｄ変換回路と、
　前記Ａ／Ｄ変換回路の出力信号を白黒画像データとして記憶するメモリと、
　色設定キーで所定の複数の色の中の１つの色が設定された色設定信号が入力され、かつ、前記メモリから読み出された白黒画像データが入力され、かつ、前記白黒画像データを前記色設定信号に応じた色信号に変換して出力する着色回路と、
　第２のカラー画像信号から分離した色信号に、前記着色回路から出力された色信号を、スーパーインポーズするスーパーインポーズ回路と、
　前記第２のカラー画像信号から分離した輝度信号と、前記スーパーインポーズ回路から出力された色信号と、を混合して出力する混合回路とを備えたことを特徴とするスーパーインポーズ装置。」
ＩＩ【引用例】
　これに対して、原査定の拒絶の理由に引用された特開昭６３−２６０３７６号公報（以下、「引用例」という。）には、「カメラ一体型ビデオレコーダ」（発明の名称）に関し、図面と共に次のとおりの記載がある。
▲１▼「本発明は、被写体像を撮影する撮像部と、この撮像部にて得られる撮像出力から形成されるビデオ信号を記録する記録部とを備えるカメラ一体型ビデオレコーダーにおいて、上記撮像手段にて撮影した画像のビデオ信号をデジタル化することにより得られる画像データを記憶する記憶手段と、該記憶手段から読み出される画像データによる画像信号を上記撮像側にて撮像される被写体像のビデオ信号に挿入する信号処理手段を内蔵することによって、上記撮像手段にて撮影した画像をタイトル情報やテロップ情報として上記記憶手段に記憶しておき、実際の撮影動作の際に上記タイトル情報やテロップ情報を何時でも簡単にビデオ信号に挿入して記録できるようにしたものである。」（公報第１頁右下欄第１０行〜第２頁左上欄第５行）
▲２▼「従来より、被写体像を撮影する撮像部と、この撮像部にて得られるビデオ信号を磁気テープに記録する記録部とを備えるカメラ一体型８ｍｍＶＴＲでは、キャラクタジェネレータを搭載するとともに、撮像部にて得られるビデオ信号に他の画像信号を挿入する所謂スーパーインポーズ機能を与えて、上記キャラクタジェネレータによりタイトル情報を発生し、上記スーパーインポーズ機能を利用して上記タイトル情報の画像信号を撮像部にて得られるビデオ信号に挿入して記録するようにしたタイトラー機能を有するものが提案されている。」（公報第２頁左上欄第７行〜第１７行）
▲３▼「また、上記撮像部１０は、第１図のブロック図に示すように、電荷結合素子（ＣＣＤ：Ｃｈａｒｇｅ　Ｃｏｕｐｌｅｄ　Ｄｅｖｉｃｅ）にて形成した固体イメージャ１を備え、この固体イメージャ１が同期信号発生回路２の発生する同期信号に基づいて作動するＣＣＤ駆動回路３にて駆動され、上記固体イメージャ１にて得られる被写体像の撮像出力を撮像処理信号回路４に供給するようになっている。
　上記撮像信号処理回路４は、上記固体イメージャ１による撮像出力から被写体像を示す輝度信号（Ｙ）と色差信号（Ｒ−Ｙ），（Ｂ−Ｙ）を形成する。この撮像信号処理回路４にて形成される輝度信号（Ｙ）と色差信号（Ｒ−Ｙ），（Ｂ−Ｙ）は、それぞれインポーズ回路５，６，７を介してＮＴＳＣエンコーダ８に供給されるようになっている。
　上記ＮＴＳＣエンコーダ８は、上記輝度信号（Ｙ）と色差信号（Ｒ−Ｙ），（Ｂ−Ｙ）から被写体像を示すＮＴＳＣ方式のビデオ信号を形成する。このＮＴＳＣエンコーダ８にて形成されるビデオ信号は、１ビットのアナログ・デジタル（Ａ／Ｄ）変換回路１１に供給されるとともに、８ｍｍビデオの所定フォーマットで記録動作を行う上記記録部２０に供給されるようになっている。
　上記１ビットのＡ／Ｄ変換回路１１は、上記ＮＴＳＣエンコーダ８から供給されるビデオ信号を所定の信号レベルと比較するレベルコンパレータにて構成され、上記ビデオ信号を２値化して例えば１画像を６４Ｋ（８ｂｉｔ×８Ｋｗｏｒｄ）にて示す画像データを形成する。上記Ａ／Ｄ変換回路１１にて形成される画像データは、タイトラー回路１２を介してメモリ１３に書き込まれるようになっている。」（公報第３頁左上欄第１１行〜同頁左下欄第３行）
▲４▼「先ず、第１の操作スイッチ３１はタイトル画像の登録モードの指定スイッチで、上記タイトラー回路１２は、上記第１の操作スイッチ３１の操作を受け付けると、上記Ａ／Ｄ変換回路１１から供給される画像データを上記メモリ１３に書き込む動作を行う。上記撮像部１０にてパネル１００に任意に描いたタイトル画像を撮影しながら、上記第１の操作スイッチ３１の操作によりタイトル画像の登録モードを指定することにより、上記メモリ１３に上記撮像部１０にて撮影しているタイトル画像の画像データが上記メモリ１３に書き込まれる。上記メモリ１３には、任意のタイトル画像の画像データを４枚分記憶することができる。
　また、第２の操作スイッチ３２はタイトル画像の挿入モードの指定スイッチで、上記タイトラー回路１２は、上記第２の操作スイッチ３２の操作を受け付けると、上記メモリ１３から１枚分の画像データを読み出して、この画像データを制御信号として上記各インポーズ回路５，６，７の動作制御を行うとともに、上記画像データに応じた３原色信号（Ｒ，Ｇ，Ｂ）を変換回路１５に供給する。なお、上記変換回路１５は、３原色信号（Ｒ，Ｇ，Ｂ）を輝度信号（Ｙ）と色差信号（Ｒ−Ｙ），（Ｂ−Ｙ）に変換して、上記各インポーズ回路５，６，７に供給する。
　また、第３の操作スイッチ３はタイトル画像の色指定スイッチで、上記タイトラー回路１２は、上記第２の操作スイッチ３２の操作により上記タイトル画像の挿入モードにおいて出力する３原色信号（Ｒ，Ｇ，Ｂ）の組み合わせが指定される。上記第３の操作スイッチ３３の操作により８種類の色指定を巡回的に行うことができる。」（公報第３頁右下欄第１４行〜第４頁右上欄第５行）
ＩＩＩ【対比】
　そこで、本願発明と引用例に記載の発明とを対比すると、次のことが認められる。
１）引用例には、撮像手段にて撮影した画像のビデオ信号をデジタル化することにより得られる画像データをタイトル情報として記憶手段に記憶しておき、そのタイトル情報を何時でもビデオ信号に挿入できるようにすることが記載されており（引用例の上記▲１▼の記載参照）、その実施例として、ＮＴＳＣエンコーダから供給されるビデオ信号を１ビットのＡ／Ｄ変換回路で２値化して画像データを形成し、その画像データをタイトラー回路を介してメモリに書き込むことが記載されている（引用例の上記▲３▼の記載参照）。それらの記載によれば引用例には、本願発明と同様な「第１のカラー画像信号」を「白黒２値のデジタル信号に変換するＡ／Ｄ変換回路」と「前記Ａ／Ｄ変換回路の出力信号を白黒画像データとして記憶するメモリ」が開示されているといえる。
２）引用例には、第２の操作スイッチは、タイトル画像の挿入モードの指定スイッチで、タイトラー回路は、上記第２の操作スイッチの操作を受け付けると、メモリから１枚分の画像データを読み出して、この画像データを制御信号として各インポーズ回路の動作制御を行うとともに、上記画像データに応じた３原色信号（Ｒ，Ｇ，Ｂ）を変換回路に供給し、輝度信号（Ｙ）と色差信号（Ｒ−Ｙ），（Ｂ−Ｙ）に変換すること、また第３の操作スイッチはタイトル画像の色指定スイッチで、タイトラー回路１２は、第２の操作スイッチの操作によりタイトル画像の挿入モードにおいて出力する３原色信号（Ｒ，Ｇ，Ｂ）の組み合わせが指定され、上記第３の操作スイッチの操作により８種類の色指定を巡回的に行うことができると記載されており（引用例の上記▲４▼の記載参照）、上記「第３の操作スイッチ」が、本願発明の「色設定キー」に相当し、また本願発明でいう「色信号」とは、“テレビジョンにおいて色に関する情報をもった信号の総称”を意味することは明らかであり、その中には、Ｒ，Ｇ，Ｂなどの原色信号、色差信号、搬送色信号などを含むことも当該技術分野の常識的事項であること（例えば、テレビジョン学会偏「テレビジョン用語辞典」（昭和６０年８月３０日初版第２刷発行）コロナ社、ｐ．１７参照）などを勘案すると、引用例に記載のものも、本願発明でいう「色設定キーで所定の複数の色の中の１つの色が設定された色設定信号が入力され、かつ、前記メモリから読み出された白黒画像データが入力され、かつ、前記白黒画像データを前記色設定信号に応じた色信号に変換して出力する着色回路」を有するものといえる。
３）引用例には、タイトル情報が挿入されるビデオ信号、すなわち撮像部にて撮像される被写界像のビデオ信号を撮像信号処理回路に供給し、この撮像信号処理回路にて形成される輝度信号（Ｙ）と色差信号（Ｒ−Ｙ），（Ｂ−Ｙ）が、変換回路からのタイトル画像の輝度信号（Ｙ）と色差信号（Ｒ−Ｙ），（Ｂ−Ｙ）と、それぞれインポーズ回路を介してＮＴＳＣエンコーダに供給され、ＮＴＳＣ方式のビデオ信号を形成することが記載されている（引用例の上記▲３▼，▲４▼の記載参照）。そして、上記タイトル情報が挿入されるビデオ信号が、タイトル情報を得るために撮像手段にて撮影した画像のビデオ信号（第１のカラー信号）とは別異の画像信号、すなわち本願発明でいう「第２のカラー画像信号」に相当するものといえ、それらの記載と、上記２）で述べたように本願発明の「色信号」が、色差信号を含むものといえることを勘案すると、引用例には、本願発明でいう「第２のカラー画像信号から分離した色信号に、前記着色回路から出力された色信号を、スーパーインポーズするスーパーインポーズ回路」と「前記第２のカラー画像信号から分離した輝度信号と、前記スーパーインポーズ回路から出力された色信号と、を混合して出力する混合回路」が開示されているといえる。
４）引用例に記載のものが、タイトル情報やテロップ情報をビデオ信号に挿入する所謂スーパーインポーズ機能を有する「スーパーインポーズ装置」を対象としている点でも、本願発明のものと変わりがない（引用例の上記▲１▼，▲２▼の記載参照）。
５）以上の１）〜４）の点を踏まえると、両者は、次の点で一応相違するものの、他に格別の違いは認められない。
相違点
　Ａ／Ｄ変換回路が、本願発明では、カラー画像信号「から分離した輝度信号」を白黒２値のデジタル信号に変換しているのに対して、引用例には、ＮＴＳＣエンコーダにて形成されるビデオ信号を２値の画像データに変換することは記載されているが、輝度信号を２値のデジタル信号に変換することは明記がない点。
ＩＶ【当審の判断】
　次に、上記相違点について検討する。
　スーパーインポーズ装置において、タイトル等の画像データを、カラー画像信号から分離した輝度信号を２値化して得ることは周知であり（例えば、特開昭５９−８３４７０号公報参照）、引用例記載のものにおいて、タイトル情報等の画像データを、ＮＴＳＣエンコーダのビデオ信号をＡ／Ｄ変換して得る代わりに、上記周知のように「カラー画像信号から分離した輝度信号」をＡ／Ｄ変換して白黒２値のデジタル信号を得るようになす程度のことは当業者が容易に想到し得ることといえる。
　そして、本願発明の効果についてみても格別顕著なものがあるとはいえない。
　なお、出願人は、意見書等において、引用例に記載のものは、記録媒体を再生するときに再生映像と記憶したタイトル画像とをスーパーインポーズすることはできないものである旨主張しているが、その主張は、特許請求の範囲の記載に基づくものとはいえず、当を得ない。
Ｖ【むすび】
　したがって、本願発明は、引用例に記載された発明に基づいて当業者が容易に発明をすることができたものと認められるので、特許法第２９条第２項の規定により特許を受けることができない。
　よって、結論のとおり審決する。